(57)【特許請求の範囲】
【請求項１】
回転ドラムが取り付けられたメインシャーシと、
テープカセットを装着する一対のリールが取り付けられ、前記のメインシャーシ上から前記回転ドラム側へスライドされてテープカセットをローディング及びアンローディングするサーブシャーシと、
メインシャーシに取り付けられたラックギヤーと、
前記サーブシャーシの移動によるテープカセットのアンローディング時、前記ラックギヤーと接触されて回転力を発生すると共に前記回転力を前記一対のリール中いずれか一つのリールに伝達してテープカセットから抽出されて回転ドラム周囲へローディングされたテープを回収できるように構成され、前記サーブシャーシに取り付けてあるテープ回収手段とを備えた磁気記録再生装置のテープ巻き戻し装置において、
前記テープの回収手段は、
前記サーブシャーシに回転可能に取り付けられて前記ラックギヤーとかみ合わせられて回転する第１ギヤーと、
前記第１ギヤーにかみ合わせられて回転する第２ギヤーと、
前記第２ギヤーにかみ合わせられると共にテープカセットをアンローディングするために前記サーブシャーシのスライディング動作時、前記リールにかみ合わせられて前記リールを回転させて解けた磁気テープが前記リールに巻き取られるようにした第３ギヤーと、
第３ギヤーによる前記リールの回転時テープの伸びを防止するために前記第３ギヤーに取り付けられたスリップ部材と、
前記第１，第２及び第３ギヤーが一列に順次かみ合わせられて回転されるように第１ギヤーの中心に一端部が固定された回動部材とよりなり、
テープカセットをローディングするときのサーブシャーシの移動によって、上記回動部材が一方向に回動されて第３ギヤーが前記リールから離され、  テープカセットをアンローディングするときのサーブシャーシの移動によって、上記回動部材が上記の一方向とは逆の方向に回動されて第３ギヤーが前記リールにかみ合わされて磁気テープを回収するようにしたことを特徴とする磁気記録再生装置のテープ巻き戻し装置。
【請求項２】
回転ドラムが取り付けられたメインシャーシと、
テープカセットを装着する一対のリールが取り付けられ、前記のメインシャーシ上から前記回転ドラム側へスライドされてテープカセットをローディング及びアンローディングするサーブシャーシと、
メインシャーシに取り付けられたラックギヤーと、
前記サーブシャーシの移動によるテープカセットのアンローディング時、前記ラックギヤーと接触されて回転力を発生すると共に前記回転力を前記一対のリール中いずれか一つのリールに伝達してテープカセットから抽出されて回転ドラム周囲へローディングされたテープを回収できるように構成され、前記サーブシャーシに取り付けてあるテープ回収手段とを備えた磁気記録再生装置のテープ巻き戻し装置において、
前記テープの回収手段は、
リールが取り付けてあり、上記サーブシャーシに支持されているリールベースと、
該リールベースに取り付けてあり、前記リールとかみ合わせられて回転する伝達ギヤと、
前記サーブシャーシがテープカセットをローディング及びアンローディングさせる動作中には前記伝達ギヤーとかみ合わせられて前記伝達ギヤーを正逆に回転させ、サーブシャーシがテープカセットをローディング完了したときには伝達ギヤとかみ合わせられないようにした第１アイドラギヤーと、
前記ラックギヤーとかみ合わせられて回転し、回動部材により前記第１アイドラギヤーとかみ合わせて前記第１アイドラギヤーを回転させるための第２アイドラギヤーと、
前記リールベースの先端部に形成されており、前記サーブシャーシのスライディングによるテープカセットのローディング完了時、前記第１アイドラの位置を規制して前記伝達ギヤーとの接続を解除させるアイドラ位置規制手段とを有し、
前記第１アイドラギヤーは、サーブシャーシがテープカセットをローディング及びアンローディングさせる動作中には伝達ギヤーとかみ合わせられて、サーブシャーシがテープカセットをローディング完了したときにだけ、上記アイドラ位置規制手段によって伝達ギヤーとのかみ合わせが解除されるように位置を規制受けるように構成したことを特徴とする磁気記録再生装置のテープ巻き戻し装置。
【発明の詳細な説明】
【０００１】
【産業上の利用分野】
本発明は、磁気記録再生装置のテープ巻き戻し装置に関し、特にデッキ内に挿入されたテープを取り出す時のテープが装着されているリールが回転されるようにすることにより、ドラムとの相互間に適宜な張力が維持されるように回収してテープの損傷を防止できるようにするための磁気記録再生装置のテープ巻き戻し装置に関する。
【０００２】
【従来の技術】
一般に、ビデオテープレコーダなどのような磁気記録再生装置は、予め長く前から多様な形状に開発されて来たし、現在に至っては各家庭にはほとんど普及されて現代人は一つの生活必需品のように感じさせる程需要が急増している。
【０００３】
現在家庭用に普及されている磁気記録再生装置は、ほとんどＶＨＳ（ビデオホームシステム）方式を採用した１／２インチテープカセットを主に使っている。
【０００４】
このような磁気記録再生装置は、大きくテープカセットが挿入されるカセットホルダーと、このカセットホルダーを機器本体の内側へ引き入れてメインデッキ上に安着させるための駆動部材と、前記テープカセット内の磁気テープをメインデッキ上に取り付けられた回転ドラム側へローディングあるいはアンローディングさせるための装置と、磁気テープが一定の経路を沿って走行されるようにする装置からなる。
【０００５】
従って、テープカセットがカセットホルダー内部へ挿入させるようになると、この挿入状態を感知してメインデッキ上にテープカセットを安着され、この状態からポールベースにより磁気テープが高速回転するドラム側へローディングされて磁気テープに信号が記録されるとか、あるいは磁気テープに記録された信号が再生されることができる。
【０００６】
近頃に、前述した磁気記録再生装置を応用して開発された携帯用カムコーダなどのような製品は使用者の便利性を図るために可能な限りその大きさを小型化すると共に、軽量化するために努力しており、その一環として、既に開発されて広く使われている８ｍｍテープカセットを用いた製品が多く知られている。
【０００７】
ところで、製品の小型化及び軽量化に最も大きな影響を及ぼすものの一つがデッキサイズであり、このデッキサイズをどの程度縮小させるかにより製品の小型化及び軽量化を追求できるためデッキサイズと縮小程度によりその技術水準の尺度を見当がつけられ、実際に多様な形状及び方式の磁気記録再生装置が研究開発されている。
【０００８】
このような一環で特開昭６１−２１１８６３号には、供給リール及び巻取リール軸と、キャプスタン及びピンチローラーを備えた駆動基板と、回転ドラムを備えたドラム基板と、前記駆動基板とドラム基板が相互スライド移動されるようにした案内手段と、
前記駆動基板とドラム基板との相互スライド移動時に磁気テープを回転ドラムに巻回するようにしたテープローディング手段及びピンチローラーをキャプスタンに接近させるピンチローラー手段からなってデッキサイズを縮小させるとともに軽量化できる記録再生装置が開示されているが、この記録再生装置は供給リール及び巻くリールにそれぞれ結合されるハブが固定されたタイプの８ｍｍテープカセットを用いるのでデッキサイズをどの程度小型化させるには寄与することができたが、デッキサイズを小型化させるにはその限界がある。
【０００９】
従って、デッキサイズを最大限に縮小させることができると共に構成部品を単純化できるようにするために、本発明者などは大韓民国特許出願第９３−５０１６号に開示した如く、テープカセットのローディング時テープカセットのハブが所定の軸を中心に回動してテープカセットの内部空間へ回転ドラムが完全に収容されるようにすることによりデッキサイズを超小型化できる磁気記録再生装置を案出したことがあり、これに対して概略的に説明する。
【００１０】
図１を参照すれば、イジェクトレバー１０の後方へ延長形成された一対のアーム１２の先端が機器本体（図示せず）の内部に立って形成された一対のブラケット１４の先端に軸１６で連結されており、イジェクトレバー１０はこの軸１６を中心に上・下の開閉が可能になる。
【００１１】
イジェクトレバー１０はイジェクト動作時にイジェクトレバー１０の正面に形成されたロッキングピン１７が解除されながら機器本体に対して所定角度で外部へ露出されることによりテープカセット２０を機器本体の内部へ挿入あるいは取り出すことができるようになる。
【００１２】
イジェクトレバー１０のアーム１２の一方の側部には、ピン１８が形成されており、このピン１８はアッパシャーシ３０の側面に立って形成されたブラケット３２の長孔３４に嵌合されてイジェクトレバー１０の上・下回動時にアッパシャーシ３０が垂直方向へ上昇・下降移動できるようになる。
【００１３】
また、アッパシャーシ３０上には、テープカセット２０を水平方向へ前・後移動させるためのスライダー４０が位置されている。
【００１４】
カセットホルダー５０は、その一方の側の先端がスライダー４０の先端で軸５２により連結され、大略中央部に形成された突起５４がスライダー４０の側面に形成された長孔４１内に嵌合されてスライド移動するリンク４２とピン４３で連結されている。
【００１５】
従って、カセットホルダー５０が軸５２を中心に所定の角度で回転できるようになってテープカセット２０の挿入及び取り出しが可能になる。
【００１６】
そして、カセットホルダー５０のどの一方の側面には、一方の側の軸５１を中心に上・下回動するリッドオープン部材５２が装着されており、このリッドオープン部材５２の大略中央部には長孔５３が形成されてカセットホルダー５０の側面に突出形成されたピン５４が嵌合されてガイドされる。
【００１７】
また、リッドオープン部材５２の中央部とスライダー４０が所定の角度に傾斜するリンク４４に連結され、リンク４２とリンク４４と弾性部材４５により連結されている。
【００１８】
従って、カセットホルダー５０がスライダー４０に安着される過程でリッドオープン部材５２が軸５１を中心に回動されてテープカセット２０のリッド２２をオープンさせることができるようになる。
【００１９】
一方、スライダー４０には、リールベース４６，４７が装着され、このリールベース４６，４７上にはリール４８，４９が取り付けられてテープカセット２０のハブ（図示せず）をガイドすることができ、スライダー４０はアッパシャーシ３０に取り付けられたスライダー移動器具（図示せず）により水平方向へ前後移動可能になる。
【００２０】
そして、アッパシャーシ３０の下側には、テープカセット２０内の磁気テープ（図示せず）を駆動させるための各走行要素が装着された低シャーシ６０が取り付けられている。これらアッパシャーシ３０と低シャーシ６０の側面はスコットラッセルのリンク器具の原理を応用した一対のリンク６１，６２が互いに交叉するように先端がピン６３により連結され、リンク６１，６２中央の軸６４には弾性部材６５が装着されてそれぞれのリンク６１，６２が係止維持されることによりアッパシャーシ３０が垂直方向へ弾力的に上昇・下降移動することができるようになる。
【００２１】
このように構成された従来の磁気記録再生装置において、機器本体に対して所定の角度で露出されたカセットホルダー５０の内部へテープカセット２０を挿入させた後カセットホルダー５０を押さえてしめるようになると、このカセットホルダー５０が軸５２を中心に回動してスライダー４０上に安着される。
【００２２】
このとき、テープカセット２０のハブがスライダー４０上に取り付けられたリール４８，４９にガイドされて安着されると共にカセットホルダー５０の側面に形成されたリッドオープン部材５２が軸５１を中心に時計方向へ回動してテープカセット２０のリッド２２をオープンさせる。
【００２３】
このような状況でスライダー４０をアッパシャーシ３０の軸へ押しこめると、アッパシャーシ３０に装着されたスライダー移動器具（図示せず）がスライダー４０をアッパシャーシ３０の側へ水平移動させることによりアッパシャーシ３０に対するスライダー４０の水平移動は完了される。
【００２４】
ところで、図２に示した如く、スライダー４０にテープカセット２０が安着された状態で使用者がスライダー４０を回転ドラム３６側へ押しこめると、前述した如く、スライダー移動器具によりスライダー４０がアッパシャーシ３０の上から回転ドラム３６側へ移動される。
【００２５】
このとき、テープカセット２０内にある磁気テープ２４は、回転ドラム３６に接触されながらテープカセット２０のハブ２６から解かれて図３のような状態を維持するようになる。
【００２６】
図３のような状態で使用者がイジェクトレバー１０を押さえてしめるようになると、その正面に形成されたロッキングピン１７が低シャーシ６０に形成されたロッキング部材（図示せず）にロッキングされるが、イジェクトレバー１０が下降する時にイジェクトレバー１０の側面に形成されたピン１８がアッパシャーシ３０のブラケット３２に形成された長孔３４内で移動されたアッパシャーシ３０が低シャーシ６０上へ下降するようになる。
【００２７】
これと同時に図示しないテープローディング手段が磁気テープ２４を回転ドラム３６にローディングさせることにより磁気テープ２４の再生動作が遂行されるようにする。
【００２８】
このように再生を完了したあとに使用者が図１に示されたイジェクトレバー１０を低シャーシ６０からオープンさせると、アッパシャーシ３０が低シレーシ６０から上昇されるが、このような上昇はリンク６１，６２と弾性部材６５により遂行される。
【００２９】
アッパシャーシ３０が低シャーシ６０から分けられて上昇される場合に回転ドラム３６の周囲にローディングされた磁気テープ２４はテープアンローディング手段（図示せず）により自動的に巻き取られることになる。
【００３０】
従って、アッパシャーシ３０が低シャーシ６０から上昇が完了された場合に磁気テープ２４は図３のような状態を維持することになる。
【００３１】
そのあと、使用者がスライダー４０を回転ドラム３６が取り付けられたアッパシャーシ３０から分けるために引っ張るようになると、スライダー４０は図示しないスライダー移動器具により弾力的に水平移動されることによりアッパシャーシ３０とスライダー４０が図２のような状態を維持することになる。
【００３２】
しかし、このような磁気記録再生装置において、磁気テープ２４の再生が完了したあとにアッパシャーシ３０が低シャーシ６０から昇降されたあとスライダー４０がアッパシャーシ３０から後進移動する場合に図４に示した如く、回転ドラム３６に密着された長さだけ磁気テープ２４が長くなるようになるので磁気テープを取り出す時に磁気テープ３４の長くなった部分がテープカセット２０のリード２２やデッキの各種構成要素にかかるようになるので磁気テープ３１が損傷される問題点があった。
【００３３】
【発明が解決しようとする課題】
従って、本発明の目的は、デッキ内に挿入されたテープカセットを取り出す場合に既に解けている磁気テープがテープカセットのハブに自動的に回収されることができるようにすることにより磁気テープの損傷を防止するための磁気記録再生装置のテープ巻き戻し装置を提供することにある。
【００３４】
【課題を解決するための手段】
前記の目的を達成するために、発明は、回転ドラムが取り付けられたメインシャーシと、テープカセットを装着する一対のリールが取り付けられ、前記のメインシャーシ上から前記回転ドラム側へスライドされてテープカセットをローディング及びアンローディングするサーブシャーシを備えた磁気記録再生装置のテープ巻き戻し装置において、メインシャーシに取り付けられたラックギヤーと、前記サーブシャーシ移動によるテープカセットのアンローディング時前記ラックギヤーと接触されて回転力を発生すると共に前記回転力を前記一対のリール中のどの一つのリールに伝達してテープカセットから抽出されて回転ドラム周囲へローディングされたテープを回収できるように構成されたテープ回収手段を前記サーブシャーシに取り付けた点にある。
【００３５】
本発明の第一実施例による磁気記録再生装置によれば、テープ回収手段は前記ラックギヤーと接触されて回転可能になるように構成されたアイドラギヤーであり、前記アイドラギヤーの回転軸は前記サーブシャーシに取り付けられることが望ましい。
【００３６】
本発明の第一実施例によるテープの巻き戻し装置によれば、リール回転手段は前記サーブシャーシに回転が可能であるように取り付けられ、前記ラックギヤーとかみ合わせられて回転する第１ギヤーと、前記第１ギヤーにかみ合わせられて回転する第２ギヤーと、前記第２ギヤーにかみ合わせられると共にテープカセットをアンローディングするために前記サーブシャーシのスライディング動作時前記リールにかみ合わせられて前記リールを回転させて解けた磁気テープが前記リールに巻き取られるようにした第３ギヤー及び前記第１，第２及び第３ギヤーが一列に順次かみ合わせられて回転されるように第１ギヤーの中心に一端部が固定された回動部材からなって磁気テープを回収するようにすることが望ましい。
【００３７】
また、テープの回収手段は、第３ギヤーによる前記リールの回転時テープの伸びを防止するために前記第３ギヤーに取り付けられたスリップ部材をまた含むことが望ましい。
【００３８】
一方、本発明の第２実施例による磁気記録再生装置の特徴は、回転ドラムが取り付けられたメインシャーシと、テープカセットを装着する一対のリールが取り付けられ、前記メインシャーシ上から前記回転ドラム側へスライドされてテープカセットをローディング及びアンローディングするサーブシャーシを備えた磁気記録再生装置のテープ巻き戻し装置において、メインシャーシに取り付けられたラックギヤーと、前記一対のリール中どの一つのリールに接続されて回転力を伝達する伝達ギヤーと、前記サーブシャーシ移動によるテープカセットアンローディング時前記ラックギヤーと接触されて回転力を発生すると共に前記回転力を前記伝達ギヤーに伝達して前記リールに駆動することによりテープカセットから抽出されて回転ドラム周囲へローディングされたテープを回収できるように構成されたテープ回収手段を前記サーブシャーシに取り付けた点にある。
【００３９】
本発明の第２実施例によるテープ巻き戻し装置によれば、テープの回収手段は前記ラックギヤーと接触されて回転が可能になるように構成されたアイドラギヤーと、前記サーブシャーシのスライディングによるテープカセットのローディング完了時前記アイドラの位置を規制して前記伝達ギヤーとの接続を解除させるアイドラ位置規制手段からなることが望ましい。
【００４０】
本発明の第２実施例によるテープ巻き戻し装置によれば、テープ回収手段は、前記リールベースに取り付けられ、前記リールとかみ合わせられて回転する伝達ギヤーと、前記サーブシャーシがテープカセットをローディング及びアンローディングさせる動作中には前記伝達ギヤーとかみ合わせられて前記伝達ギヤーを正逆に回転させ、サーブシャーシがテープカセットをローディング完了したときには伝達ギヤとかみ合わせられないようにした第１アイドラギヤーと、前記ラックギヤーとかみ合わせられて回転し、回動部材により前記第１アイドラギヤーとかみ合わせて前記第１アイドラギヤーを回転させるための第２アイドラギヤーからなることが望ましい。
【００４１】
第１アイドラギヤーは、サーブシャーシがテープカセットをローディング及びアンローディングさせる動作中には伝達ギヤーとかみ合わせられて、サーブシャーシがテープカセットをローディング完了したときにだけ伝達ギヤーとのかみ合わせが解除されるように前記リールベースの先端部に形成されたアイドラ位置規制手段で位置の規制を受けることが望ましい。
【００４２】
【実施例】
以下、添付した図面を参照して本発明によるテープ巻き戻し装置の望ましい実施例を詳細に説明する。
【００４３】
図５，図６は、本発明の第１実施例によるテープ巻き戻し装置が適用できる磁気記録再生装置でスライダ４０がアッパシャーシ３０上に接触された状態をそれぞれ示した概略的平面図である。このような図面において、本発明の必須的な構成要素は実線で図示し、その他の構成要素は仮想線で図示した。
【００４４】
従って、このような図面は、本発明の技術的思想を明確に理解するために図示されただけであり、これで本発明を限定しようとした意図ではない。
【００４５】
図５を参照するに、アッパシャーシ３０には回転ドラム３６が装着されており、水平移動可能なスライダー４０にはテープ供給リール４８と巻取リール４９が装着されている。
【００４６】
供給リール４８の下側部には、図７のようにギヤー４８ａが形成されており、このギヤー４８ａは後述するテープ回収手段のギヤーが選択的にかみ合うようになって回転ドラム３６により解けた磁気テープ２４を回収できるように構成される。
【００４７】
スライダー４０は、アッパシャーシ３０に形成された移動器具（図示せず）によりアッパシャーシ３０の回転ドラム３６側へ水平に前進されて磁気テープ３４が回転ドラム３０により所定の長さで解ける第１位置、すなわち図６のような位置でアッパシャーシ３０と密着結合される。
【００４８】
また、スライダー４０は、テープカセット２０を取り出す時に移動器具（図示せず）により前記の第１位置から後進されてテープカセット３０を取り出すことができるようにした第２位置、すなわち図５のような位置に置かれるようになる。
【００４９】
従って、スライダー４０は、テープカセットのローディング時には第２位置から第１位置まで移動し、テープカセットのアンローディング時には第１位置から第２位置まで移動される。
【００５０】
テープの回収手段は、図６のように回転ドラム３６に磁気テープ２４が接触された状態でテープカセット２０が図５のように後退するアンローディング時供給リール４８を反時計方向へ回動させて回転ドラム３６により解けたテープ２４を回収するためにスライダー４０の両側部に回動自在に取り付けられている。
【００５１】
このテープの回収手段は、アッパシャーシ３０上に固定に取り付けられたラック１００と、かみ合わせられてガイドされる。このテープの回収手段は、スライダー４０の下側部に中心軸１１０ａの一端部が回転自在するように固定されたギヤー１１０を含むが、このギヤー１１０はラック１００とかみ合わせられて回転される。
【００５２】
また、テープの回収手段は、ギヤー１００にかみ合わされて回転するギヤー１２０と、又他のギヤー１３０を含む。ギヤー１３０は、ギヤー１２０にかみ合わせられると共にスライダー４０が第１位置から第２位置へ移動される場合に供給リール４８のギヤー４８ａとかみ合わせられて供給リール４８を反時計方向へ回転させて解けた磁気テープ２４が供給リール４８によりテープカセットの供給リールハブに巻き取られるようにする。
【００５３】
このようなギヤー１１０，１２０，１３０は、回動部材１４０に一方の側の中心軸が連結されてギヤー１１０の中心線１１０ａを中心として回動されるようになっている。
【００５４】
そして、回動部材１４０の一方の側端部は、ギヤー１１０の中心軸１１０ａに固く固定されているので回動部材１４０はギヤー１１０の回動時に中心軸１１０ａを中心に回動できるようになる。
【００５５】
図７に断面図で示した如く、このようなギヤー１１０，１２０，１３０と回動部材１４０は全てスライダー４０の下側部に位置される。
【００５６】
ギヤー１１０は、ラック１００と恒常かみ合わせられており、スライダー４０が回転ドラム３６側へ水平前進移動する場合にギヤー１３０は後述する如く、供給リール４８のギヤー４８ａとかみ合わせられない。
【００５７】
しかし、スライダー４０が回転ドラム３６側から水平的に後退する場合にギヤー１３０は供給リール４８のギヤー４８ａとかみ合わせられて供給リール４８を反時計方向へ回転させる。
【００５８】
一方、カセットのテープ供給用ハブ（参照番号未表示）に巻かれているテープの量は恒常一定しないのでハブに巻かれているテープの半径は一定しなくなる。従って、ハブにテープが最も多く巻き取られていると、テープは回収されなければならないテープの長さより更に多く回収されようとするのでテープが強制力を受けて伸びる場合が発生する。
【００５９】
従って、図７に示した如く、ギヤー１３０には、別のギヤー１５０を取り付け、このギヤー１３０，１５０の間にはスリップ発生手段であるフェルト１６０を取り付けてギヤー１３０から発生される回転力を吸収しギヤー１５０には適宜なトルクを恒常維持するようにした。
【００６０】
このように構成された本発明の第１実施例によるテープ巻き戻し装置の作動状態を次に説明する。
【００６１】
先ず、図５のようにテープカセット２０がスライダー４０に安着された状態で使用者がスライダー４０を回転ドラム３６側へ押しこむと、スライダー４０は適宜な移動器具により回転ドラム３６を向けて前進することになる。
【００６２】
スライダー４０が回転ドラム３６側へ前進するようになると、スライダー４０の下側部に軸１１０ａとして回転自在になるように取り付けられたギヤー１１０がアッパシャーシ３０上に固定取り付けられたラック１００とかみ合わせられながら反時計方向へ回転される。
【００６３】
ギヤ１１０がスライダー４０の移動と共に反時計方向へ回転されれば、ギヤー軸１１０ａで一方の側端部が固定された回動部材１４０とともにギヤー１２０，１３０が回動されることができる。
【００６４】
すなわち、ギヤー１１０が反時計方向へ回動されれば、この中心軸１１０ａに一方の側端部が固定された回動部材１４０が反時計方向へ回動するが、回動部材１４０上にそれぞれの中心軸が回転自在になるように固定されたギヤー１２０１３０が回転するようになる。
【００６５】
ここで、ギヤー１２０はギヤー１１０とかみ合わせられて時計方向へ回転し、ギヤー１３０はギヤー１２０とかみ合わせられているので反時計方向へ回転される。
【００６６】
従って、スライダー４０が回転ドラム３６側へ移動する場合にアッパシャーシ３０上に固定取り付けられたラック１００とスライダー４０の下端部に回転が可能になるように取り付けられたギヤー１１０がかみ合わせられて反時計方向ヘ回転され、それにより回動部材１４０が反時計方向へ回動されることによりギヤー１３はテープ供給リール４８と全く接触されない。
【００６７】
スライダー４０が図５のような第２位置から図６のような第１位置に向けて水平移動する場合に前述した如く、テープの回収手段は供給リール４８と全く接触されないまま動作されるが、スライダー４０がアッパシャーシ３０側へ更に進行すれば、テープハブは回転ドラム３６にテープ２４が巻き取られながら延びようとするテープの力により適宜に対応しながら自動的に解ける方向、即ち時計方向へ回転される。
【００６８】
従って、アッパシャーシ３０に対するスライダー４０の水平移動が完了されれば（即ちスライダーが第１位置に位置されれば）、図示しないローディング手段が作動してテープ２４が回転ドラム３６に巻き取られることによりテープの再生または記録動作が遂行されることができる。
【００６９】
このような磁気テープの再生または記録動作が完了されれば、ローディング手段は回転ドラム３６に巻き取られていた磁気テープ２４をアンローディングさせて図６のような状態を維持する。
【００７０】
このような状態でテープカセット２０を取り出そうとする場合にスライダー４０が移動器具（図示せず）によりアッパシャーシ３０から水平的に後退することになる。
【００７１】
図６のような状態でスライダー４０が後退するようになると、スライダー４０の下側部に取り付けられたギヤー１１０がラック１００にかみ合わせられながら時計方向へ回転する。ギヤー１１０が時計方向へ回転されれば、ギヤー軸１１０ａに一方の側端部が固定された回動部材１４０が時計方向へ回動される。
【００７２】
スライダー４０が第１位置から第２位置を向けて更に後退すると、回動部材１４０の他側端部に回動が可能になるように取り付けられたギヤー１３０が図５のようにかみ合うことになる。
【００７３】
このとき、ギヤー１１０が時計方向へ回転されることによりギヤー１３０もまた時計方向へ回転されるので供給リール４８は反時計方向へ回転される。
【００７４】
従って、テープカセット２０のハブが供給リール４８と結合されている状態であるので、テープカセット２０が図６のように位置された場合に回転ドラム３６により解けていた磁気テープ２４は供給リール４８の回転によりテープカセット２０のハブに再び巻き取られることになる。
【００７５】
一方、テープカセット２０のハブに巻き取られているテープの長さは常に一定でないので、ハブに巻き取られているテープの半径もまた一定しない。
【００７６】
従って、ハブが１回転するときに回収されるテープの長さも相異になるのでテープ回収手段のそれぞれのギヤーの歯数調整は最高の状態を仮想して解けたテープを十分に回収できるように研究される必要がある。
【００７７】
若し、ハブに磁気テープ２４が最も多く巻き取られていると、テープは回収されるべきハブの長さよりも更に多く回収されようとするので、テープが強制力を受けて伸びる損傷を受ける憂慮がある。
【００７８】
従って、テープの回収手段を構成するギヤー１３０には、別途の９ギヤー１５０を同一軸に取り付け、ギヤー１３０とギヤー１５０との間にはスリップ発生手段であるフェルト１６０を取り付けてギヤー１３０から発生される回転力を消化し、ギヤー１５０には適宜なトルクを恒常維持しながらテープカセットのハブを所定の量だけ回転させるようになる。
【００７９】
以上のように本発明の第１実施例による磁気記録再生装置のテープ巻き戻し装置は、テープカセットをローディングさせるときに回転ドラムにより解けていたテープがカセットを取り出すときに回収できるようにしてテープがカセットリードにかかるとかデッキにかかって損傷される現象を防止することができる。
【００８０】
図８乃至図１０は、本発明によるテープ巻き戻し装置の第２実施例を示したものであるが、この第２実施例によるテープ巻き戻し装置は図１に示した磁気記録再生装置に適用可能なものである。
【００８１】
図８乃至図１０において、本発明に必須的な構成要素は実線で図示し、その他の構成要素は仮想線で図示した。
【００８２】
このような図面で知られる如く、スライダー４０の下端部には供給リールベース４６と巻取リールベース４７が取り付けられ、このベースにはリールギヤー４８ａ，４９ａが回転的に固定されてリールベース４６，４７の回動時リールギヤー４８ａ，４９ａが回転されるように取り付けられている。
【００８３】
このようなリールベース４６，４７は、バネ２７０による弾力を受けながら矢印Ａ方向へ弾力的に回動されることができる。
【００８４】
すなわち、リールベース４６，４７の一方の側先端部には、それぞれのピン４６ａ，４７ａが取り付けてこのピン長孔４０ａ，４０ｂに沿ってそれぞれ回動される場合にリールベース４６，４７が軸４６ｂ，４７ｂを中心にスライダー４０の両側へすきまができるようになる。
【００８５】
一方、リールベース４６の他側先端部には、ギヤー２０２がギヤー２０４と回動アーム２０８により取り付けられるが、ギヤー２０４はギヤー２０６と選択的にかみ合わせられて回転されるギヤー２０２とギヤー２０４は回動アーム２０８で軸２０２ａ，２０４ａにより固定され、ギヤー２０４はリールベース４６の先端部に形成された長孔４６ｃ（図９参照）内で移動自在するように取り付けられている。
【００８６】
そして、ギヤー２０６は、リールベース４６に軸２０６ａにより回転可能に固定されているが、このギヤー２０６はリールギヤー４８ａとギヤー２０４を回転的に連結するためのものである。
【００８７】
図８乃至図１０に示した如く、アッパシャーシ３０には、ギヤー２０２とかみ合うラック２００が固定取り付けられているが、スライダー４０がアッパシャーシ３０上で水平移動する場合にラック２００とギヤー２０２がかみ合わせられてリールギヤー４８ａを選択的に正、逆回転させるように構成されている。
【００８８】
また、アッパシャーシ３０には、ストッパ３０ａ，３０ｂが取り付けられるが、このストッパはスライダー４０がアッパシャーシ３０側へ水平移動されるときにリールベース４６，４７の突起４６ｃ，４７ｂと接触される（図９参照）。
【００８９】
図１１は図８における線VI−VIによるテープ回収手段の断面図を図示したものである。
【００９０】
図１０で知られる如く、供給リール４８は、軸４００によりリールベース４６に回転的に固定されている。そして、ギヤー２０２，２０４，２０６が互いに噛み合うようになっているとか、これらギヤーとリールベース４６はスライダー４０の下側部取り付けられたことを知らせている。
【００９１】
このように構成された本発明の第２実施例によるテープ巻き戻し装置の動作を説明する。
【００９２】
図８はテープカセット２０（図２参照）が図１に示したカセットホルダー５０に装着されてスライダー４０上に安着されたあとアッパシャーシ３０側へ移動する直前の状態を示したものであるが、巻き戻し装置の明確化のためテープカセットは図示しなかった。
【００９３】
従って、図２のようにテープカセット２０が位置されている状態で使用者がカセットを回転ドラム３６側へ押しこめると、図示しないスライダー移動器具がスライダー４０を回転ドラム３６を向けて水平移動させるが、この場合にギヤー２０２がラック２００にかみ合わせられて反時計方向へ回動することになる。
【００９４】
このとき、ギヤー２０４は、時計方向へ回転され、ギヤー２０４とギヤー２０６は歯車結合されない状態を維持する。
【００９５】
そして、スライダー４０の水平前進移動時にカセットテープは、アッパシャーシ３０に取り付けられた回転ドラム３６により解けるようになる。
【００９６】
このようなスライダー４０の前進が完了されて図９のような状態になると、リールベース４６，４７の突起４６ｃ，４７ｃがアッパシャーシ３０のストッパ３０ａ，３０ｂにかかるようになってスライダー４０の前進しようとする力によりリールベース４６，４７が軸４６ｂ，４７ｂを中心に矢印方向へそれぞれ回動することになる。
【００９７】
このように回動時ギヤー２０４は、リールベース４６の長孔４６ｃの左側部分（図９）に位置されることによりギヤー２０４とギヤー２０６はどんな場合にも相互歯車結合または干渉することができなくなる。
【００９８】
このような状態で使用者がイジェクトレバー１０（図１参照）を押せば、アッパシャーシ３０が低シャーシ６０に安着されるが、このとき、図に示さないテープのローディング手段が作動してテープを回転ドラム３６にローディングさせることができることによりテープの再生または録画動作が遂行されることができる。
【００９９】
テープの再生または録画動作が完了されて使用者がイジェクトレバー１０を低シャーシ６０から解除させると、リンク６１，６２と弾性部材６５によりアッパシャーシ３０が低シャーシ６０から上昇されるが、この場合にテープのローディング手段が動作してテープが回転ドラムからアンローディングされて図９のような状態が維持されることになる。
【０１００】
すなわち、アッパシャーシ３０が低シャーシ６０から完全に上昇されたあとアッパシャーシ３０とスライダー４０が図９のような状態を維持することになる。このような状態でスライダー４０がアッパシャーシ３０から水平に後進されれば、ストッパ３０ａに係止維持されているリールベース４６の突起部４６ｃがそれから解除される。
【０１０１】
このとき、リールベース４６，４７は、バネ２７０の弾力により矢印Ａの反対方向へ移動することになる。
【０１０２】
従って、ギヤー２０４とギヤー２０６が図１０のように再び接触することになるが、このときには前述したものと反対方向へギヤー２０２，２０４及び２０６が回転されることによりリールギヤー４８ａが反時計方向へ回転される。
【０１０３】
リールギヤー４８ａが反時計方向へ回転されることにより図４のように解けているテープ２４はハブに巻き戻されることにより張り切った状態を維持することができる。すなわち、スライダー４０が図１０から図８のような位置へ後進される過程で解けていた磁気テープ２４がハブに巻き取られて回収できるようになる。
【０１０４】
結局、本発明の第２実施例によるテープ巻き戻し装置によれば、ハブが両側方向へ回動できる形態のテープカセットを使う磁気記録再生装置において、テープの再生のあとテープカセットを取り出すときに解けていたテープをぎりぎりに巻き戻すことができる。
【０１０５】
【発明の効果】
以上のように、本発明によるテープ巻き戻し装置によれば、テープカセットをローディングさせたときに解けていたテープがテープカセットを取り出すときに自動的に回収されることができるようにしてテープの損傷を容易に防止することができる効果がある。
【０１０６】
たとえ本発明が添付された図面により記述されたとしても、本発明はこれに限定されるものではなく、特許請求範囲内で多くの変更及び修訂が有り得る。例えば、テープ巻き戻し装置は供給リール側に取り付けられる代わりに巻くリール側に取り付けられることもできる。
【図面の簡単な説明】
【図１】本発明によるテープ巻き戻し装置が適用可能な従来の磁気記録再生装置の概略的側面図である。
【図２】図１に示された磁気記録再生装置からテープカセットがスライダー上に初期に安着された状態を示した概略的平面図である。
【図３】図２のような状態でテープカセットがスライダーにより回転ドラム側へ水平前進移動された状態を示した概略的平面図である。
【図４】図３のような状態でテープカセットがスライダーにより回転ドラム側から水平後進移動されて初期状態に復帰されたことを示した概略的平面図である。
【図５】本発明の第１実施例によるテープ巻き戻し装置を備えた磁気記録再生装置でスライダーがアッパシャーシに初期安着された場合を示したテープ回収手段の概略的平面図である。
【図６】図５のような状態でスライダーが回転ドラム側へ水平前進移動された場合を示したテープ回収手段の概略的平面図である。
【図７】図５における線IV−IVによるテープ回収手段の断面図である。
【図８】本発明の第２実施例によるテープ巻き戻し装置を備えた磁気記録再生装置でスライダーがアッパシャーシに初期安着された場合を示したテープ回収手段の概略的平面図である。
【図９】図８のような状態でスライダーが回転ドラム側へ水平前進移動された場合を示したテープ回収手段の概略的平面図である。
【図１０】図９のような状態でスライダーが回転ドラム側から水平後進移動される瞬間を示したテープ回収手段の概略的平面図である。
【図１１】図８における線VI−VIによるテープ回収手段の断面図である。
【符号の説明】
３０  アッパシャーシ
３６  回転ドラム
４６，４７  リールベース
４８，４９  リール
１００，３００  ラック
１１０，１２０，１３０，１５０，２０２，２０４，２０６  ギヤー
１４０，２０８  回動部材
【図１】
0003552734.tif 000002
【図２】
0003552734.tif 000003
【図３】
0003552734.tif 000004
【図４】
0003552734.tif 000005
【図５】
0003552734.tif 000006
【図６】
0003552734.tif 000007
【図７】
0003552734.tif 000008
【図８】
0003552734.tif 000009
【図９】
0003552734.tif 000010
【図１０】
0003552734.tif 000011
【図１１】
0003552734.tif 000012